(57)【要約】【課題】  光伝送路の障害位置を容易に測定することができる測定装置、伝送装置、及びネットワークシステムを提供する。【解決手段】  測定装置は、送信時刻が付与されたフレームを、光伝送路を介して同一の伝送速度で互いに送受信する第１伝送装置及び第２伝送装置から、エラーが発生した前記フレームに付与された第１送信時刻及び第２送信時刻をそれぞれ取得する取得部と、前記取得部が取得した前記第１送信時刻及び前記第２送信時刻の差分と光速の乗算値から、前記フレームのエラーが発生した前記光伝送路の位置を測定する測定部とを有する。【選択図】図２
2020174319.tif 000002
【特許請求の範囲】
【請求項１】
送信時刻が付与されたフレームを、光伝送路を介して同一の伝送速度で互いに送受信する第１伝送装置及び第２伝送装置から、エラーが発生した前記フレームに付与された第１送信時刻及び第２送信時刻をそれぞれ取得する取得部と、
前記取得部が取得した前記第１送信時刻及び前記第２送信時刻の差分と光速の乗算値から、前記フレームのエラーが発生した前記光伝送路の位置を測定する測定部とを有することを特徴とする測定装置。
【請求項２】
前記光速は、前記光伝送路内の光の伝搬速度であることを特徴とする請求項１に記載の測定装置。
【請求項３】
第１フレームに第１送信時刻を付与する付与部と、
前記第１フレームを、光伝送路を介して所定の伝送速度で他の伝送装置に送信する送信部と、
前記他の伝送装置から前記所定の伝送速度で送信され、第２送信時刻が付与された第２フレームを、前記光伝送路を介して受信する受信部と、
前記受信部が受信した前記第２フレームのうち、エラーが発生した前記第２フレームに付与された前記第２送信時刻を測定装置に通知する通知部とを有し、
前記測定装置は、前記他の伝送装置が受信した前記第１フレームのうち、エラーが発生した前記第１フレームに付与された前記第１送信時刻と、前記通知部から通知された前記第２送信時刻との差分、及び光速の乗算値から、前記第１フレーム及び前記第２フレームのエラーが発生した前記光伝送路の位置を測定することを特徴とする伝送装置。
【請求項４】
前記付与部は、前記第１フレームのオーバヘッドに前記第１送信時刻を付与し、
前記他の伝送装置は、前記第２フレームのオーバヘッドに前記第２送信時刻を付与することを特徴とする請求項３に記載の伝送装置。
【請求項５】
第１フレームに第１送信時刻を付与する付与部と、
前記第１フレームを、光伝送路を介して所定の伝送速度で他の伝送装置に送信する送信部と、
前記他の伝送装置から前記所定の伝送速度で送信され、第２送信時刻が付与された第２フレームを、前記光伝送路を介して受信する受信部と、
前記他の伝送装置が受信した前記第１フレームのうち、エラーが発生した前記第１フレームに付与された前記第１送信時刻を取得する時刻取得部と、
前記受信部が受信した前記第２フレームのうち、エラーが発生した前記第２フレームに付与された前記第２送信時刻と、前記時刻取得部が取得した前記第１送信時刻との差分、及び光速の乗算値から、前記第１フレーム及び前記第２フレームのエラーが発生した前記光伝送路の位置を測定する位置測定部とを有することを特徴とする伝送装置。
【請求項６】
測定装置、第１伝送装置、及び第２伝送装置を有し、
前記第１伝送装置は、
第１フレームに第１送信時刻を付与する第１付与部と、
前記第１フレームを、光伝送路を介して所定の伝送速度で前記第２伝送装置に送信する第１送信部と、
前記第２伝送装置から前記光伝送路を介して第２フレームを受信する第１受信部とを有し、
前記第２伝送装置は、
前記第２フレームに第２送信時刻を付与する第２付与部と、
前記第２フレームを、前記光伝送路を介して前記所定の伝送速度で前記第１伝送装置に送信する第２送信部と、
前記第１伝送装置から前記光伝送路を介して前記第１フレームを受信する第２受信部とを有し、
前記測定装置は、
エラーが発生した前記第２フレームに付与された前記第２送信時刻を前記第１伝送装置から取得し、エラーが発生した前記第１フレームに付与された前記第１送信時刻を前記第２伝送装置から取得する取得部と、
前記第１送信時刻及び前記第２送信時刻の差分と光速の乗算値から、前記第１フレーム及び前記第２フレームのエラーが発生した前記光伝送路の位置を測定する測定部とを有することを特徴とするネットワークシステム。
【請求項７】
第１伝送装置及び第２伝送装置を有し、
前記第１伝送装置は、
第１フレームに第１送信時刻を付与する第１付与部と、
前記第１フレームを、光伝送路を介して所定の伝送速度で前記第２伝送装置に送信する第１送信部と、
前記第２伝送装置から前記光伝送路を介して第２フレームを受信する第１受信部と、
前記第１フレーム及び前記第２フレームのエラーが発生した前記光伝送路の位置を測定する位置測定部とを有し、
前記第２伝送装置は、
前記第２フレームに第２送信時刻を付与する第２付与部と、
前記第２フレームを、前記光伝送路を介して前記所定の伝送速度で前記第１伝送装置に送信する第２送信部と、
前記第１伝送装置から前記光伝送路を介して前記第１フレームを受信する第２受信部と、
前記第２受信部が受信した前記第１フレームのうち、エラーが発生した前記第１フレームに付与された前記第１送信時刻を前記第１伝送装置に通知する時刻通知部とを有し、
前記位置測定部は、前記第１受信部が受信した前記第２フレームのうち、エラーが発生した前記第２フレームに付与された前記第２送信時刻と、前記時刻通知部から通知された前記第１送信時刻との差分、及び光速の乗算値から、前記第１フレーム及び前記第２フレームのエラーが発生した前記光伝送路の位置を測定することを特徴とするネットワークシステム。
【発明の詳細な説明】
【技術分野】
【０００１】
本件は、測定装置、伝送装置、及びネットワークシステムに関する。
【背景技術】
【０００２】
デジタルコヒーレント伝送方式では、多値変調したデータで偏波光を変調し、偏波方向の異なる偏波光同士を多重して伝送する。偏波光の状態（SOP: State Of Polarization）は、光ファイバへの落雷や光ファイバの振動などにより生ずる位相サイクルやスリップなどが原因で変動し、データ信号のバースト的なエラーを発生させる。これは、伝送容量が増加するように多値変調の多値度を高くするほど顕著となる。
【０００３】
このため、エラーが発生した光伝送路の障害位置を特定して、その原因を解析することが求められている。障害位置の特定に関し、例えば特許文献１には、多分岐光線路の障害点を特定する技術が記載されている。
【先行技術文献】
【特許文献】
【０００４】
【特許文献１】特開２００１−２１４４５号公報
【発明の概要】
【発明が解決しようとする課題】
【０００５】
しかし、偏波光の状態変動は短時間内で収束するため、特許文献１の技術ように光伝送路内に入射したパルス波形から障害位置を特定することは困難であり、障害位置の特定には多大な時間及び労力が必要となる。
【０００６】
そこで本件は、光伝送路の障害位置を容易に測定することができる測定装置、伝送装置、及びネットワークシステムを提供することを目的とする。
【課題を解決するための手段】
【０００７】
１つの態様では、測定装置は、送信時刻が付与されたフレームを、光伝送路を介して同一の伝送速度で互いに送受信する第１伝送装置及び第２伝送装置から、エラーが発生した前記フレームに付与された第１送信時刻及び第２送信時刻をそれぞれ取得する取得部と、前記取得部が取得した前記第１送信時刻及び前記第２送信時刻の差分と光速の乗算値から、前記フレームのエラーが発生した前記光伝送路の位置を測定する測定部とを有する。
【０００８】
１つの態様では、伝送装置は、第１フレームに第１送信時刻を付与する付与部と、前記第１フレームを、光伝送路を介して所定の伝送速度で他の伝送装置に送信する送信部と、前記他の伝送装置から前記所定の伝送速度で送信され、第２送信時刻が付与された第２フレームを、前記光伝送路を介して受信する受信部と、前記受信部が受信した前記第２フレームのうち、エラーが発生した前記第２フレームに付与された前記第２送信時刻を測定装置に通知する通知部とを有し、前記測定装置は、前記他の伝送装置が受信した前記第１フレームのうち、エラーが発生した前記第１フレームに付与された前記第１送信時刻と、前記通知部から通知された前記第２送信時刻との差分、及び光速の乗算値から、前記第１フレーム及び前記第２フレームのエラーが発生した前記光伝送路の位置を測定する。
【０００９】
１つの態様では、他の伝送装置は、第１フレームに第１送信時刻を付与する付与部と、前記第１フレームを、光伝送路を介して所定の伝送速度で他の伝送装置に送信する送信部と、前記他の伝送装置から前記所定の伝送速度で送信され、第２送信時刻が付与された第２フレームを、前記光伝送路を介して受信する受信部と、前記他の伝送装置が受信した前記第１フレームのうち、エラーが発生した前記第１フレームに付与された前記第１送信時刻を取得する時刻取得部と、前記受信部が受信した前記第２フレームのうち、エラーが発生した前記第２フレームに付与された前記第２送信時刻と、前記時刻取得部が取得した前記第１送信時刻との差分、及び光速の乗算値から、前記第１フレーム及び前記第２フレームのエラーが発生した前記光伝送路の位置を測定する位置測定部とを有する。
【００１０】
１つの態様では、ネットワークシステムは、測定装置、第１伝送装置、及び第２伝送装置を有し、前記第１伝送装置は、第１フレームに第１送信時刻を付与する第１付与部と、前記第１フレームを、光伝送路を介して所定の伝送速度で前記第２伝送装置に送信する第１送信部と、前記第２伝送装置から前記光伝送路を介して第２フレームを受信する第１受信部とを有し、前記第２伝送装置は、前記第２フレームに第２送信時刻を付与する第２付与部と、前記第２フレームを、前記光伝送路を介して前記所定の伝送速度で前記第１伝送装置に送信する第２送信部と、前記第１伝送装置から前記光伝送路を介して前記第１フレームを受信する第２受信部とを有し、前記測定装置は、エラーが発生した前記第２フレームに付与された前記第２送信時刻を前記第１伝送装置から取得し、エラーが発生した前記第１フレームに付与された前記第１送信時刻を前記第２伝送装置から取得する取得部と、前記第１送信時刻及び前記第２送信時刻の差分と光速の乗算値から、前記第１フレーム及び前記第２フレームのエラーが発生した前記光伝送路の位置を測定する測定部とを有する。
【００１１】
１つの態様では、他のネットワークシステムは、第１伝送装置及び第２伝送装置を有し、前記第１伝送装置は、第１フレームに第１送信時刻を付与する第１付与部と、前記第１フレームを、光伝送路を介して所定の伝送速度で前記第２伝送装置に送信する第１送信部と、前記第２伝送装置から前記光伝送路を介して第２フレームを受信する第１受信部と、前記第１フレーム及び前記第２フレームのエラーが発生した前記光伝送路の位置を測定する位置測定部とを有し、前記第２伝送装置は、前記第２フレームに第２送信時刻を付与する第２付与部と、前記第２フレームを、前記光伝送路を介して前記所定の伝送速度で前記第１伝送装置に送信する第２送信部と、前記第１伝送装置から前記光伝送路を介して前記第１フレームを受信する第２受信部と、前記第２受信部が受信した前記第１フレームのうち、エラーが発生した前記第１フレームに付与された前記第１送信時刻を前記第１伝送装置に通知する時刻通知部とを有し、前記位置測定部は、前記第１受信部が受信した前記第２フレームのうち、エラーが発生した前記第２フレームに付与された前記第２送信時刻と、前記時刻通知部から通知された前記第１送信時刻との差分、及び光速の乗算値から、前記第１フレーム及び前記第２フレームのエラーが発生した前記光伝送路の位置を測定する。
【発明の効果】
【００１２】
１つの側面として、光伝送路障害の発生位置を容易に測定することができる。
【図面の簡単な説明】
【００１３】
【図１】ネットワークシステムの一例を示す構成図である。
【図２】トランスポンダの動作例を示す図である。
【図３】時刻ごとのフレームの伝送の様子を示す図である。
【図４】フレームのフォーマットの一例を示す図である。
【図５】トランスポンダの一例を示す構成図である。
【図６】送信時刻の特定方法の一例を示す図である。
【図７】監視制御装置の一例を示す構成図である。
【図８】フレームの送信処理の一例を示すフローチャートである。
【図９】フレームの受信処理の一例を示すフローチャートである。
【図１０】障害位置の測定処理の一例を示すフローチャートである。
【図１１】他の実施例におけるトランスポンダの動作を示す図である。
【図１２】他の実施例のトランスポンダを示す構成図である。
【図１３】他の実施例のトランスポンダを示す構成図である。
【図１４】他の実施例のトランスポンダのフレームの受信処理の一例を示すフローチャートである。
【図１５】他の実施例のトランスポンダのフレームの受信処理の一例を示すフローチャートである。
【発明を実施するための形態】
【００１４】
図１は、ネットワークシステムの一例を示す構成図である。ネットワークシステムは、監視制御装置１、増幅器（ILA: In-Line Amplifier）４ａ，４ｂ、波長多重装置６ａ，６ｂ、及びタイムサーバ７を有する。
【００１５】
波長多重装置６ａ，６ｂは、光伝送路９を介して互いに接続されている。光伝送路９は、例えば多芯ファイバであり、２つの光ファイバ９ａ，９ｂを含む。一方の波長多重装置は、光ファイバ９ａを介して波長多重光信号Ｓａを他方の波長多重装置６ｂに送信し、他方の波長多重装置６ｂは、光ファイバ９ｂを介して波長多重光信号Ｓｂを一方の波長多重装置６ａに送信する。なお、波長多重装置６ａ，６ｂの間の光伝送路９の距離Ｌは、例えば８００（km）である。
【００１６】
これにより、波長多重装置６ａ，６ｂは、光伝送路９を介して波長多重光信号Ｓａ，Ｓｂを送受信する。ここで、波長多重光信号Ｓａ，Ｓｂの伝送速度は同一である（例えば１００（Gbps）〜４００（Gbps））。
【００１７】
波長多重装置６ａ，６ｂは、波長λ１〜λnの光信号を波長多重することにより波長多重光信号Ｓａ，Ｓｂをそれぞれ生成する。波長多重装置６ａ，６ｂは、複数のトランスポンダ（ＴＰ）２ａ，２ｂ、合波器（ＭＵＸ）３ａ，３ｂ、及び分波器（ＤＭＵＸ）４ａ，４ｂを有する。
【００１８】
トランスポンダ２ａ，２ｂは、伝送装置の一例であり、連続するフレームを含む波長λ１〜λnの偏波多重光信号を生成して合波器３ａ，３ｂに出力する。合波器３ａ，３ｂは、例えば光カプラであり、波長λ１〜λnの偏波多重光信号を合波して波長多重光信号Ｓａ，Ｓｂをそれぞれ生成する。
【００１９】
波長多重光信号Ｓａ，Ｓｂは光伝送路９に出力される。光伝送路９には、ＩＬＡ４ａ，４ｂが接続されている。ＩＬＡ４ａ，４ｂは波長多重光信号Ｓａ，Ｓｂを増幅する。
【００２０】
波長多重光信号Ｓａ，Ｓｂは、光伝送路９から波長多重装置６ｂ，６ａの分波器４ｂ，４ａにそれぞれ入力される。分波器４ｂ，４ａは、例えば光スプリッタであり、波長多重光信号Ｓａ，Ｓｂを波長単位で各波長λ１〜λnの偏波多重光信号に分波する。各波長λ１〜λnの偏波多重光信号は、送信先のトランスポンダ２ｂ，２ａで受信される。
【００２１】
監視制御装置１及びタイムサーバ７は、管理ネットワークＮＷを介して波長多重装置６ａ，６ｂと通信する。監視制御装置１は、例えばネットワークＯｐＳ（Operation System）であり、波長多重装置６ａ，６ｂを監視制御する。監視制御装置１は、測定装置の一例であり、トランスポンダ２ａ，２ｂから、エラーが発生したフレーム（以下、「エラーのフレーム」と表記）の送信時刻をそれぞれ取得し、各送信時刻から光伝送路９の障害位置を測定する。
【００２２】
タイムサーバ７は、例えばＰＴＰ（Precision Time Protocol）により時刻情報をトランスポンダ２ａ，２ｂに配信する。これにより、トランスポンダ２ａ，２ｂは、タイムサーバ７と時刻同期し、送信対象のフレームに送信時刻を付与することができる。
【００２３】
図２は、トランスポンダ２ａ，２ｂの動作例を示す図である。トランスポンダ２ａは複数のフレーム８ａをトランスポンダ２ｂに連続で送信し、トランスポンダ２ｂは複数のフレーム８ｂをトランスポンダ２ａに連続で送信する。なお、フレーム８ａ，８ｂは第１フレーム及び第２フレームの一例である。
【００２４】
符号Ｇａは、トランスポンダ２ａ，２ｂがフレームの送信を開始した様子を示す。トランスポンダ２ａ，２ｂは、例えば周期的にタイムサーバ７と時刻同期し、送信対象のフレーム８ａ，８ｂごとに送信時刻を付与する。送信時刻は、例えばタイムスタンプ「＃１」，「＃２」，「＃３」，・・・として各フレーム８ａ，８ｂのオーバヘッドに付与される。なお、符号Ｐは、光伝送路９の中間位置、つまり各トランスポンダ２ａ，２ｂから距離Ｌ／２だけ離れた位置を示す。
【００２５】
符号Ｇｂは、光伝送路９の障害によりフレーム８ａ，８ｂにエラーが発生した様子を示す。トランスポンダ２ａ，２ｂはタイムサーバ７と時刻同期しているため、同一のタイムスタンプが付与されたフレーム８ａ，８ｂをそれぞれ同時に送信する。このため、光伝送路９の中間位置Ｐを常に同一のタイムスタンプ（本例では「＃１００５」）のフレーム８ａ，８ｂが通過する。
【００２６】
例えば中間位置Ｐからトランスポンダ２ｂ側に距離ΔＬだけ離れた位置Ｑで光伝送路９の障害が発生し、位置Ｑを通過中のタイムスタンプ「＃８０２」のフレーム８ａ及びタイムスタンプ「＃１２０９」のフレーム８ｂにエラーが発生したと仮定する。ここで、光伝送路９の障害とは、光伝送路９への落雷や光伝送路９の振動などが挙げられ、光信号の偏波光の偏波状態の状態変動によりフレーム８ａ，８ｂにバースト的なエラーを発生させる障害を指す。
【００２７】
符号Ｇｃは、トランスポンダ２ａ，２ｂがエラーのフレーム８ａ，８ｂを受信した様子を示す。トランスポンダ２ｂは、他方のトランスポンダ２ａから送信されたタイムスタンプ「＃８０２」のフレーム８ａを受信してエラーを検出する。トランスポンダ２ｂは、エラーを検出したフレーム８ａの送信時刻Ｔａとしてタイムスタンプ「＃８０２」を監視制御装置１に送信する。
【００２８】
トランスポンダ２ａは、他方のトランスポンダ２ｂから送信されたタイムスタンプ「＃１２０９」のフレーム８ｂを受信してエラーを検出する。トランスポンダ２ａは、エラーを検出したフレーム８ｂの送信時刻Ｔｂとしてタイムスタンプ「＃１２０９」を監視制御装置１に送信する。
【００２９】
監視制御装置１は、送信時刻Ｔａ，Ｔｂの差分及び光速Ｖｃの乗算値から、フレーム８ａ，８ｂのエラーが発生した光伝送路９の位置Ｑ（以下、「障害位置Ｑ」と表記）を測定する。
【００３０】
ΔＬ＝（Ｔｂ−Ｔａ）×Ｖｃ／２    ・・・（１）
Ｌｑ＝Ｌ／２＋ΔＬ      ・・・（２）
【００３１】
監視制御装置１は、障害位置Ｑの中間位置Ｐからのトランスポンダ２ｂ側の距離ΔＬを上記の式（１）により算出する。監視制御装置１は、光伝送路９の距離Ｌと距離ΔＬから上記の式（２）により、一方のトランスポンダ２ａから障害位置Ｑまでの距離Ｌｑを算出する。
【００３２】
上述したように、トランスポンダ２ａ，２ｂは伝送速度が同一であり、タイムサーバ７と時刻同期しているため、光伝送路９の中間位置Ｐを通過するフレーム８ａ，８ｂのタイムスタンプ「＃ｘ」（ｘ：送信時刻）は常に同一となる。このため、エラーのフレーム８ａに付与されたタイムスタンプが示す送信時刻Ｔａと送信時刻ｘの差分（ｘ−Ｔａ）に光速Ｖｃを乗算した値、及びエラーのフレーム８ｂに付与されたタイムスタンプが示す送信時刻Ｔｂと送信時刻ｘの差分（Ｔｂ−ｘ）に光速Ｖｃを乗算した値は、それぞれ、距離ΔＬに該当する。
【００３３】
したがって、送信時刻Ｔａと送信時刻ｘの差分（ｘ−Ｔａ）と送信時刻Ｔｂと送信時刻ｘの差分（Ｔｂ−ｘ）の和（Ｔｂ−Ｔａ）に光速Ｖｃを乗算した値（（Ｔｂ−Ｔａ）×Ｖｃ）は距離ΔＬの２倍となる。よって、式（１）によりトランスポンダ２ａから障害位置Ｑまでの距離Ｌｑが算出される。
【００３４】
ΔＬ＝（Ｔａ−Ｔｂ）×Ｖｃ／２    ・・・（３）
【００３５】
また、監視制御装置１は、障害位置Ｑの中間位置Ｐからのトランスポンダ２ａ側の距離ΔＬを上記の式（３）により算出した場合、上記の式（２）により他方のトランスポンダ２ｂから障害位置Ｑまでの距離Ｌｑを算出することができる。
【００３６】
また、光速Ｖｃとしては、例えば真空中の光速などの一定値が用いられてもよいが、光伝送路内の光の伝搬速度（例えば２．０×１０８（m/s））とすることにより、誤差を抑制して障害位置Ｑの距離Ｌｑをより高精度に算出することが可能である。
【００３７】
図２の例において、送信時刻Ｔａはタイムスタンプ「＃８０２」（８０２（μs））に相当し、送信時刻Ｔｂはタイムスタンプ「＃１２０９」（１２０９（μs））に相当する。ここで、光伝送路９の距離Ｌを８００（km）とし、光速Ｖｃを２．０×１０８（m/s）とする。
【００３８】
このとき、障害位置Ｑの中間位置Ｐからの距離ΔＬは、式（１）により８１．２（km）（＝（１２０８−８０２）×１０６×２．０×１０８／２）と算出される。したがって、障害位置Ｑのトランスポンダ２ａからの距離Ｌｑは、式（２）より４４０．６（km）（＝８００／２＋８１．２）と算出される。
【００３９】
図３は、時刻ごとのフレーム８ａ，８ｂの伝送の様子を示す図である。図３には、時刻１００７〜１０１７（μs）の期間のうち、時刻１００７（μs）、１００８（μs）、１００９（μs）、１０１５（μs）、１０１６（μs）、及び１０１７（μs）におけるフレーム８ａ，８ｂが示されている。また、トランスポンダ２ａ，２ｂの１個のフレーム８ａ，８ｂの送信所要時間は１（μs）であるとする。
【００４０】
時刻１００７（μs）において、障害位置Ｑを通過中のタイムスタンプ「＃９９８」のフレーム８ａ及びタイムスタンプ「＃１００６」のフレーム８ｂにエラーが発生する。時刻１００８（μs）において、トランスポンダ２ａ，２ｂはタイムスタンプ「＃９９９」のフレーム８ａ，８ｂをそれぞれ受信する。
【００４１】
時刻１００９（μs）において、トランスポンダ２ａ，２ｂはタイムスタンプ「＃９９８」のフレーム８ａ，８ｂをそれぞれ受信する。このとき、トランスポンダ２ｂは、受信したフレーム８ａのエラーを検出してフレーム８ａを廃棄する。
【００４２】
このため、トランスポンダ２ｂは、エラーのフレーム８ａからタイムスタンプ「＃９９８」を検出することができない。しかし、フレーム８ａは、バースト送信ではなく、連続的に送信されるため、トランスポンダ２ｂは、エラーのフレーム８ａの直前に受信したフレーム８ａのタイムスタンプ「＃９９７」からエラーのフレーム８ａのタイムスタンプ「＃９９８」を特定することができる。トランスポンダ２ｂは、タイムスタンプ「＃９９８」を送信時刻Ｔａとして監視制御装置１に通知する。
【００４３】
その後、時刻１０１５（μs）において、トランスポンダ２ａ，２ｂはタイムスタンプ「＃１００４」のフレーム８ａ，８ｂをそれぞれ受信する。次に時刻１０１６（μs）において、トランスポンダ２ａ，２ｂはタイムスタンプ「＃１００５」のフレーム８ａ，８ｂをそれぞれ受信する。
【００４４】
次に時刻１０１７（μs）において、トランスポンダ２ａ，２ｂはタイムスタンプ「＃１００６」のフレーム８ａ，８ｂをそれぞれ受信する。このとき、トランスポンダ２ａは、受信したフレーム８ｂのエラーを検出してフレーム８ｂを廃棄する。
【００４５】
トランスポンダ２ａは、トランスポンダ２ｂと同様に、エラーのフレーム８ｂの直前に受信したフレーム８ｂのタイムスタンプ「＃１００５」からエラーのフレーム８ｂのタイムスタンプ「＃１００６」を特定することができる。トランスポンダ２ｂは、タイムスタンプ「＃１００６」を送信時刻Ｔｂとして監視制御装置１に通知する。
【００４６】
本例において、送信時刻Ｔａはタイムスタンプ「＃９９８」（９９８（μs））に相当し、送信時刻Ｔｂはタイムスタンプ「＃１００６」（１００６（μs））に相当する。ここで、光伝送路９の距離Ｌを２２００（km）とし、光速Ｖｃを２．０×１０８（m/s）とする。
【００４７】
このとき、障害位置Ｑの中間位置Ｐからのトランスポンダ２ｂ側の距離ΔＬは、式（１）により８００（km）（＝（１００６−９９８）×１０６×２．０×１０８／２）と算出される。したがって、障害位置Ｑのトランスポンダ２ａからの距離Ｌｑは、式（２）より１９００km（＝２２００／２＋８００）と算出される。
【００４８】
なお、障害位置Ｑの中間位置Ｐからのトランスポンダ２ａ側の距離ΔＬは、上記の式（３）により−８００（km）（＝（９９８−１００６）×１０６×２．０×１０８／２）と算出される。このため、障害位置Ｑのトランスポンダ２ｂからの距離Ｌｑは、式（２）より３００（km）（＝２２００／２−８００）と算出される。
【００４９】
このように、監視制御装置１は、トランスポンダ２ａ，２ｂからそれぞれ取得した送信時刻Ｔａ，Ｔｂの差分及び光速Ｖｃの乗算値から、フレーム８ａ，８ｂのエラーが発生した光伝送路９の障害位置Ｑを測定する。このため、監視制御装置１は、多くの時間及び労力を必要とせず、光伝送路９の障害位置Ｑを容易に測定することができる。
【００５０】
トランスポンダ２ａ，２ｂは、フレーム８ａ，８ｂごとにタイムスタンプを付与するため、１個のフレーム８ａ，８ｂの送信所要時間に応じた距離を単位として障害位置Ｑの距離Ｌｑを算出する。本例において、１個のフレーム８ａ，８ｂの送信所要時間は１（μs）であるため、光速Ｖｃの１（μs）の移動距離である２００（ｍ）単位で障害位置Ｑの距離Ｌｑが算出される。このため、で障害位置Ｑの距離Ｌｑの算出の精度は、フレーム８ａ，８ｂの種類及び伝送速度に依存する。
【００５１】
図４は、フレーム８ａ，８ｂのフォーマットの一例を示す図である。本例ではフレーム８ａ，８ｂの一例として、ＩＴＵ−Ｔ（International Telecommunication Union Telecommunication Standardization Sector）勧告Ｇ．７０９に規定されたＯＴＵ（Optical Transport Unit）フレームを挙げるが、これに限定されない。
【００５２】
フレーム８ａ，８ｂは、オーバヘッド８１及びペイロード８０を有する。ペイロード８０には、例えばイーサネット（登録商標、以下同様）信号などのクライアント信号のデータが収容される。
【００５３】
オーバヘッド８１は、ＦＡＳ  ＯＨ（Frame Alignment Signal Overhead）８２、ＯＴＵ  ＯＨ８３、ＯＤＵｋ  ＯＨ（Optical Data Unit-k Overhead）８４、及びＯＰＵ  ＯＨ（Optical Payload Unit Overhead）８５を有する。なお、オーバヘッド８１の詳細な内容については、ＩＴＵ−Ｔ勧告Ｇ．７０９に規定されている。
【００５４】
トランスポンダ２ａ，２ｂは、例えばＯＴＵ  ＯＨ８３内のリザーブ領域８３０、ＯＤＵｋ  ＯＨ８４内のリザーブ領域８４０，８４１、またはＯＰＵ  ＯＨ８５内のリザーブ領域８５０にフレーム８ａ，８ｂの送信時刻を付与する。このため、トランスポンダ２ａ，２ｂは、ペイロード８０内のデータの帯域を減少させずに送信時刻をフレーム８ａ，８ｂにそれぞれ付与することができる。なお、リザーブ領域８３０，８４０，８４１，８５０は、その用途がＩＴＵ−Ｔ勧告Ｇ．７０９に規定されていない領域である。
【００５５】
次にトランスポンダ２ａ，２ｂの構成を述べる。
【００５６】
図５は、トランスポンダ２ａ，２ｂの一例を示す構成図である。トランスポンダ２ａ，２ｂは、ＣＰＵ（Central Processing Unit）２０、ＲＯＭ（Read Only Memory）２１、ＲＡＭ（Random Access Memory）２２、タイムスタンプ（ＴＳ）処理回路２３、通信ポート２４、及びＰＴＰ制御チップ２５を有する。
【００５７】
また、トランスポンダ２ａ，２ｂは、クライアントインターフェース部（クライアントＩＦ）２８、フレーマチップ２６、光送信器２７０、及び光受信器２７１を有する。なお、ＴＳ処理回路２３、ＰＴＰ制御チップ２５、フレーマチップ２６、及びクライアントＩＦ２８は、例えばＦＰＧＡ（Field Programmable Gate Array）やＡＳＩＣ（Application Specified Integrated Circuit）などのハードウェアから構成される回路である。なお、ＴＳ処理回路２３の機能は、ＣＰＵ２０の機能としてソフトウェアにより実現してもよい。
【００５８】
フレーマチップ２６は、送信フレーム処理部２６０及び受信フレーム処理部２６１を有し、ＴＳ処理回路２３、光送信器２７０、光受信器２７１、及びクライアントＩＦ２８に接続されている。
【００５９】
クライアントＩＦ２８は、クライアントネットワークからクライアント信号Ｄｓを受信して送信フレーム処理部２６０に出力する。送信フレーム処理部２６０は、クライアント信号Ｄｓのデータをフレーム８ａ，８ｂのペイロード８０に収容し、オーバヘッド８１を生成してペイロード８０に付与する。さらに送信フレーム処理部２６０は、ＴＳ処理回路２３から入力されたタイムスタンプをオーバヘッド８１内の所定のリザーブ領域８３０，８４０，８４１，８５０に格納する。送信フレーム処理部２６０は、フレーム８ａ，８ｂを光送信器２７０に出力する。
【００６０】
光送信器２７０は、例えばデジタルコヒーレント伝送方式に従い、所定の伝送速度でフレーム８ａを、光伝送路９を介し他方のトランスポンダ２ａ，２ｂに送信する。光送信器２７０は、ＬＤ（Laser Diode）などの送信光源、偏波ビームスプリッタ、偏波ビームコンバイナ、１６ＱＡＭ（Quadrature Amplitude Modulation）などの多値変調の変調器、及び光変調器などを有する。光送信器２７０は、フレーム８ａ，８ｂを偏波多重光信号Ｆｓに変換して送信する。偏波多重光信号Ｆｓは、合波器３ａ，３ｂから光伝送路９に入力される。なお、光送信器２７０は第１送信部及び第２送信部の一例である。
【００６１】
また、光受信器２７１は、例えばデジタルコヒーレント伝送方式に従い、他方のトランスポンダ２ａ，２ｂから所定の伝送速度で送信されたフレーム８ａ，８ｂを、光伝送路９を介して受信する。光受信器２７１は、ＬＤなどの局発光源、偏波ビームスプリッタ、偏波ビームコンバイナ、１６ＱＡＭなどの多値変調の復調器、及びフォトダイオードなどを有する。光受信器２７１は、分波器４ａ，４ｂから入力された偏波多重光信号Ｆｒを電気信号のフレーム８ａ，８ｂに変換して受信フレーム処理部２６１に出力する。なお、光受信器２７１は第１受信部及び第２受信部の一例である。
【００６２】
受信フレーム処理部２６１は、フレーム８ａ，８ｂをクライアント信号Ｄｒに変換してクライアントＩＦ２８に出力する。クライアントＩＦ２８は、クライアント信号Ｄｒをクライアントネットワークに送信する。
【００６３】
また、受信フレーム処理部２６１は、フレーム８ａ，８ｂからタイムスタンプを取得してＴＳ処理回路２３に出力する。ここで、受信フレーム処理部２６１は、フレーム８ａ，８ｂのエラーを検出して、エラーのフレーム８ａ，８ｂを廃棄する。このとき、受信フレーム処理部２６１は、タイムスタンプを取得できないため、エラーの検出を示す検出信号をＴＳ処理回路２３に出力する。
【００６４】
ＴＳ処理回路２３は、バスインターフェース部（バスＩＦ）２３０、時刻同期部２３１、タイムスタンプ付与部２３２、及びタイムスタンプ検出部２３３を有する。バスＩＦ２３０は、バス２９を介した時刻同期部２３１及びタイムスタンプ検出部２３３とＣＰＵ２０の通信を中継する。
【００６５】
時刻同期部２３１は、ＣＰＵ２０からの指示に従ってタイムサーバ７と時刻同期処理を例えば周期的に行う。このとき、ＰＴＰ制御チップ２５は、ＰＴＰに基づいてタイムサーバ７と通信ポート２４を介して通信する。時刻同期部２３１は、ＰＴＰ制御チップ２５の通信によりタイムサーバ７から高精度な時刻を取得する。
【００６６】
タイムスタンプ付与部２３２は、第１付与部及び第２付与部の一例であり、フレーム８ａ，８ｂに送信時刻を付与する。タイムスタンプ付与部２３２は、送信フレーム処理部２６０から送信対象のフレーム８ａ，８ｂの生成の通知を受ける。タイムスタンプ付与部２３２は、フレーム８ａ，８ｂの生成の通知に応じて時刻同期部２３１から時刻を取得することによりタイムスタンプを生成する。タイムスタンプ付与部２３２は、タイムスタンプを送信フレーム処理部２６０に出力する。
【００６７】
送信フレーム処理部２６０は、タイムスタンプをフレーム８ａ，８ｂのオーバヘッド８１に挿入する。これにより、送信フレーム処理部２６０がフレーム８ａ，８ｂを送信する時刻がフレーム８ａ，８ｂに付与される。
【００６８】
また、受信フレーム処理部２６１が正常なフレーム８ａ，８ｂを検出して廃棄した場合、タイムスタンプ検出部２３３は、受信フレーム処理部２６１からフレーム８ａ，８ｂのタイムスタンプを取得する。また、受信フレーム処理部２６１がエラーのフレーム８ａ，８ｂを検出して廃棄した場合、タイムスタンプ検出部２３３は、受信フレーム処理部２６１からフレーム８ａ，８ｂのエラーの検出信号を受信する。
【００６９】
タイムスタンプ検出部２３３は、検出信号の受信に応じてエラーのフレーム８ａ，８ｂの送信時刻を特定して、バスを介してＣＰＵ２０に出力する。
【００７０】
図６は、送信時刻の特定方法の一例を示す図である。タイムスタンプ検出部２３３は、受信フレーム処理部２６１から取得したタイムスタンプを保持しておき、エラーのフレーム８ａ，８ｂの直前のフレーム８ａ，８ｂのタイムスタンプに基づき送信時刻を特定する。
【００７１】
例えばタイムスタンプ「＃９９８」のフレーム８ａにエラーが検出された場合、タイムスタンプ検出部２３３は、その直前の正常なフレーム８ａのタイムスタンプ「＃９９７」から送信時刻「９９８」を特定する。タイムスタンプ検出部２３３は、特定した送信時刻をＣＰＵ２０に出力する。
【００７２】
再び図５を参照すると、ＣＰＵ２０は、ＲＯＭ２１、ＲＡＭ２２、ＴＳ処理回路２３、通信ポート２４、及びＰＴＰ制御チップ２５と、バス２９を介して接続されている。
【００７３】
ＲＯＭ２１は、ＣＰＵ２０を駆動するプログラムが格納されている。ＲＡＭ２２は、ＣＰＵ２０のワーキングメモリとして機能する。通信ポート２４は、例えばＬＡＮ（Local Area Network）ポートであり、管理ネットワークＮＷを介してＣＰＵ２０と監視制御装置１及びタイムサーバ７の間の通信を中継する。
【００７４】
ＣＰＵ２０は、ＲＯＭ２１からプログラムを読み込むと、機能として、装置制御部２００及び監視制御インターフェース部（監視制御ＩＦ）２０１を形成する。監視制御ＩＦ２０１は、通信ポート２４を介して監視制御装置１及びタイムサーバ７と通信する。
【００７５】
装置制御部２００は、トランスポンダ２ａ，２ｂの動作を制御する。装置制御部２００は、バス２９を介して時刻同期部２３１に時刻同期を指示する。
【００７６】
また、装置制御部２００は、バス２９を介してタイムスタンプ検出部２３３からエラーのフレーム８ａ，８ｂの送信時刻を取得する。装置制御部２００は、送信時刻を監視制御ＩＦ２０１に出力する。監視制御ＩＦ２０１は、送信時刻を監視制御装置１に通知する。なお、監視制御ＩＦ２０１は通知部の一例である。
【００７７】
次に監視制御装置１の構成を述べる。
【００７８】
図７は、監視制御装置１の一例を示す構成図である。監視制御装置１は、ＣＰＵ１０、ＲＯＭ１１、ＲＡＭ１２、通信ポート１４、入力装置１５、及び出力装置１６を有する。ＣＰＵ１０は、互いに信号の入出力ができるように、ＲＯＭ１１、ＲＡＭ１２、通信ポート１４、入力装置１５、及び出力装置１６と、バス１９を介して接続されている。
【００７９】
ＲＯＭ１１は、ＣＰＵ１０を駆動するプログラムが格納されている。ＲＡＭ１２は、ＣＰＵ１０のワーキングメモリとして機能する。通信ポート１４は、例えば無線ＬＡＮ（Local Area Network）カードやＮＩＣ（Network Interface Card）であり、ＣＰＵ１０とトランスポンダ２ａ，２ｂの通信を処理する。
【００８０】
入力装置１５は、情報を入力する装置である。入力装置１５としては、例えばキーボード、マウス、及びタッチパネルなどが挙げられる。入力装置１５は、入力された情報を、バス１９を介しＣＰＵ１０に出力する。
【００８１】
出力装置１６は情報を出力する装置である。出力装置１６としては、例えばディスプレイ及びタッチパネルなどが挙げられる。出力装置１６は、ＣＰＵ１０からバス１９を介して情報を取得して出力する。
【００８２】
ＣＰＵ１０は、ＲＯＭ１１からプログラムを読み込むと、機能として、監視制御部１００及び測定部１０１を形成する。監視制御部１００は、通信ポート１４を介してトランスポンダ２ａ，２ｂと通信することにより波長多重装置６ａ，６ｂを監視制御する。監視制御部１００はトランスポンダ２ａ，２ｂからフレーム８ｂ，８ａ送信時刻Ｔｂ，Ｔａをそれぞれ取得する。なお、監視制御部１００は取得部の一例であり、送信時刻Ｔｂ，Ｔａは第１送信時刻及び第２送信時刻の一例である。
【００８３】
また、測定部１０１は、送信時刻Ｔｂ，Ｔａの差分と光速Ｖｃの乗算値から、フレーム８ａ，８ｂのエラーが発生した光伝送路９の障害位置Ｑを測定する。なお、測定方法は、上記の式（１）〜（３）を用いて説明したとおりである。
【００８４】
測定部１０１は、例えば入力装置１５からの操作入力に応じて障害位置Ｑを出力装置１６に出力する。これにより、ユーザは障害位置Ｑを知ることができる。
【００８５】
次にトランスポンダ２ａ，２ｂのフレーム８ａ，８ｂの送信処理及び受信処理を説明する。
【００８６】
図８は、フレーム８ａ，８ｂの送信処理の一例を示すフローチャートである。クライアントＩＦ２８はクライアントネットワークからクライアント信号Ｄｓを受信する（ステップＳｔ１）。クライアント信号Ｄｓは送信フレーム処理部２６０に出力される。
【００８７】
次に送信フレーム処理部２６０は、クライアント信号Ｄｓのデータを収容したフレーム８ａ，８ｂを生成する（ステップＳｔ２）。このとき、送信フレーム処理部２６０はタイムスタンプ付与部２３２にフレーム８ａ，８ｂの生成を通知する。
【００８８】
次にタイムスタンプ付与部２３２は、生成の通知に応じて時刻同期部２３１から時刻を取得することによりタイムスタンプを生成し（ステップＳｔ３）、フレーム８ａ，８ｂにタイムスタンプを付与する（ステップＳｔ４）。タイムスタンプを付与されたフレーム８ａ，８ｂは光送信器２７０に出力される。次に光送信器２７０はフレーム８ａ，８ｂを送信する（ステップＳｔ５）。このようにして、フレーム８ａ，８ｂの送信処理は実行される。
【００８９】
図９は、フレーム８ａ，８ｂの受信処理の一例を示すフローチャートである。光受信器２７１はフレーム８ａ，８ｂを受信する（ステップＳｔ１１）。フレーム８ａ，８ｂは電気信号に変換されて光受信器２７１から受信フレーム処理部２６１に出力される。
【００９０】
受信フレーム処理部２６１は、フレーム８ａ，８ｂのエラー検出処理を行う（ステップＳｔ１２）。エラー検出手段は、限定されないが、例えばパリティチェックなどが挙げられる。
【００９１】
受信フレーム処理部２６１は、エラーが検出されない場合（ステップＳｔ１２のＮｏ）、フレーム８ａ，８ｂのオーバヘッド８１からタイムスタンプを取得する（ステップＳｔ１３）。タイムスタンプは受信フレーム処理部２６１からタイムスタンプ検出部２３３に出力される。また、フレーム８ａ，８ｂはクライアントＩＦ２８に出力される。
【００９２】
次にクライアントＩＦ２８は、フレーム８ａ，８ｂからクライアント信号Ｄｒを生成して（ステップＳｔ１４）、クライアントネットワークに送信する（ステップＳｔ１５）。
【００９３】
また、受信フレーム処理部２６１は、エラーが検出された場合（ステップＳｔ１２のＹｅｓ）、エラーのフレーム８ａ，８ｂを廃棄する（ステップＳｔ１６）。このとき、受信フレーム処理部２６１はエラーの検出信号をタイムスタンプ検出部２３３に出力する。
【００９４】
次にタイムスタンプ検出部２３３は、エラーのフレーム８ａ，８ｂの送信時刻を、その直前のフレーム８ａ，８ｂのタイムスタンプが示す送信時刻から特定する（ステップＳｔ１７）。タイムスタンプ検出部２３３は、送信時刻をＣＰＵ２０に出力する。
【００９５】
監視制御ＩＦ２０１は、通信ポート２４を介して送信時刻を監視制御装置１に送信する（ステップＳｔ１８）。このようにして、フレーム８ａ，８ｂの受信処理は実行される。
【００９６】
次に監視制御装置１による障害位置Ｑの測定処理を説明する。
【００９７】
図１０は、障害位置Ｑの測定処理の一例を示すフローチャートである。監視制御部１００は、トランスポンダ２ａ，２ｂから送信時刻Ｔｂ，Ｔａを取得する（ステップＳｔ２１）。
【００９８】
次に測定部１０１は、上記の式（１）〜（３）により障害位置Ｑを算出する（ステップＳｔ２２）。このようにして、障害位置Ｑの測定処理は実行される。
【００９９】
（他の実施例）
上記の実施例では、監視制御装置１が障害位置Ｑを測定するが、一方のトランスポンダ２ａが、他方のトランスポンダ２ａから送信時刻Ｔａを取得することにより障害位置Ｑを測定してもよい。この場合、監視制御装置１が不要となるため、ネットワークシステムの規模が縮小される。
【０１００】
図１１は、他の実施例におけるトランスポンダ２ｃ，２ｄの動作を示す図である。トランスポンダ２ｃ，２ｄは、トランスポンダ２ａ，２ｂと同様に送信対象のフレーム８ａ，８ｂに送信時刻Ｔａ，Ｔｂのタイムスタンプを付与し、光伝送路９を介して他方のトランスポンダ２ｃ，２ｄに送信する。なお、トランスポンダ２ｃ，２ｄは、それぞれ、第１伝送装置及び第２伝送装置の一例である。
【０１０１】
しかし、トランスポンダ２ｃ，２ｄは、トランスポンダ２ａ，２ｂとは異なり、送信時刻Ｔａ，Ｔｂを監視制御装置１に通知しない。一方のトランスポンダ２ｄは、他方のトランスポンダ２ｃから受信したフレーム８ａに付与されたタイムスタンプが示す送信時刻Ｔａを制御フレーム８ｃに付与し、光伝送路９を介して制御フレーム８ｃをトランスポンダ２ｃに送信する。トランスポンダ２ｃ，２ｄは、送信時刻Ｔａ，Ｔｂから障害位置Ｑを測定する。以下にトランスポンダ２ｃ，２ｄの構成を述べる。
【０１０２】
図１２は、他の実施例のトランスポンダ２ｄを示す構成図である。図１２において、図５と共通する構成には同一の符号を付し、その説明は省略する。
【０１０３】
ＣＰＵ２０は、装置制御部２００に代えて装置制御部２００ｂを形成する。装置制御部２００ｂは、装置制御部２００と同様の機能を有し、さらに、タイムスタンプ検出部２３３から入力された送信時刻Ｔａを、バス２９を介してＴＳ処理回路２３に出力する。
【０１０４】
ＴＳ処理回路２３は、バスＩＦ２３０、時刻同期部２３１、タイムスタンプ付与部２３２、タイムスタンプ検出部２３３、及び制御フレーム生成部２３５を有する。制御フレーム生成部２３５には、装置制御部２００ｂからバスＩＦ２３０を介して送信時刻Ｔａが入力される。制御フレーム生成部２３５は、送信時刻Ｔａを含む制御フレーム８ｃを生成する。
【０１０５】
フレーマチップ２６は、送信フレーム処理部２６０に代えて送信フレーム処理部２６０ｂを有する。送信フレーム処理部２６０ｂは、送信フレーム処理部２６０と同様の機能を有し、さらに制御フレーム８ｃを光送信器２７０に出力する。送信フレーム処理部２６０ｂは、制御フレーム８ｃの送信可能なタイミングを制御フレーム生成部２３５に通知し、制御フレーム生成部２３５は、送信対象の制御フレーム８ｃがあれば送信フレーム処理部２６０ｂに制御フレーム８ｃを出力する。
【０１０６】
このように、装置制御部２００ｂは、光受信器２７１が受信したフレーム８ａのうち、エラーが発生したフレーム８ａに付与された送信時刻Ｔａを他方のトランスポンダ２ｃに通知する。なお、装置制御部２００ｂは時刻通知部の一例である。
【０１０７】
図１３は、他の実施例のトランスポンダ２ｃを示す構成図である。図１３において、図５と共通する構成には同一の符号を付し、その説明は省略する。
【０１０８】
フレーマチップ２６は、受信フレーム処理部２６１に代えて、受信フレーム処理部２６１ａを有する。受信フレーム処理部２６１ａは、受信フレーム処理部２６１と同様の機能を有し、さらに制御フレームをＴＳ処理回路２３に出力する。
【０１０９】
ＴＳ処理回路２３は、バスＩＦ２３０、時刻同期部２３１、タイムスタンプ付与部２３２、タイムスタンプ検出部２３３、及び時刻取得部２３６を有する。時刻取得部２３６には、受信フレーム処理部２６１ａから制御フレームが入力される。
【０１１０】
時刻取得部２３６は、制御フレームに付与された送信時刻Ｔａを取得する。時刻取得部２３６は、送信時刻ＴａをバスＩＦ２３０及びバス２９を介してＣＰＵ２０に出力する。
【０１１１】
ＣＰＵ２０は、装置制御部２００に代えて装置制御部２００ａを形成する。装置制御部２００ａは、装置制御部２００と同様の機能を有し、さらに送信時刻Ｔａ，Ｔｂから障害位置Ｑを測定する。
【０１１２】
装置制御部２００ａには、時刻取得部２３６からエラーのフレーム８ａの送信時刻Ｔａが入力され、タイムスタンプ検出部２３３からエラーのフレーム８ｂの送信時刻Ｔｂが入力される。装置制御部２００ａは、上記の式（１）〜（３）により送信時刻Ｔａ，Ｔｂから障害位置Ｑを算出する。なお、装置制御部２００ａは、例えば通信ポート２４を介して障害位置Ｑを監視制御装置１に送信する。これにより、ユーザは障害位置Ｑを知ることができる。
【０１１３】
このように、時刻取得部２３６は、他のトランスポンダ２ｄが受信したフレーム８ａのうち、エラーが発生したフレーム８ａに付与された送信時刻Ｔａを取得する。装置制御部２００ａは、送信時刻Ｔａ，Ｔｂの差分及び光速Ｖｃの乗算値から、フレーム８ａ，８ｂのエラーが発生した障害位置Ｑを測定する。このため、上記の実施例と同様に障害位置Ｑを容易に測定することが可能である。なお、装置制御部２００ａは位置測定部の一例である。
【０１１４】
次にトランスポンダ２ｄのフレーム８ａの受信処理を説明する。なお、トランスポンダ２ｄのフレーム８ｂの送信処理は、図８に示されるとおりである。
【０１１５】
図１４は、他の実施例のトランスポンダ２ｄのフレーム８ａの受信処理の一例を示すフローチャートである。図１４において、図９と共通する処理には同一の符号を付し、その説明は省略する。
【０１１６】
タイムスタンプ検出部２３３が、エラーのフレーム８ａの送信時刻Ｔａを特定した後（ステップＳｔ１７）、制御フレーム生成部２３５は、送信時刻Ｔａを含む制御フレーム８ｃを生成する（ステップＳｔ３０）。制御フレーム８ｃは送信フレーム処理部２６０ｂから光送信器２７０に出力される。光送信器２７０は制御フレーム８ｃを他方のトランスポンダ２ｃに送信する（ステップＳｔ３１）。このようにして、トランスポンダ２ｄはフレーム８ａの受信処理を実行する。
【０１１７】
次にトランスポンダ２ｃのフレーム８ｂの受信処理を説明する。なお、トランスポンダ２ｃのフレーム８ａの送信処理は、図８に示されるとおりである。
【０１１８】
図１５は、他の実施例のトランスポンダ２ｃのフレーム８ｂの受信処理の一例を示すフローチャートである。図１５において、図９と共通する処理には同一の符号を付し、その説明は省略する。なお、以下に述べるステップＳｔ４０，Ｓｔ４１の各処理は、ステップＳｔ１６，Ｓｔ１７より先に実行されてもよい。
【０１１９】
ステップＳｔ１７の処理後、光受信器２７１は他のトランスポンダ２ｄから制御フレーム８ｃを受信する（ステップＳｔ４０）。制御フレーム８ｃは、受信フレーム処理部２６１ａに入力された後、時刻取得部２３６に入力される。
【０１２０】
次に時刻取得部２３６は、制御フレーム８ｃからエラーのフレーム８ａの送信時刻Ｔａを取得する（ステップＳｔ４１）。送信時刻Ｔａは装置制御部２００ａに出力される。
【０１２１】
次に装置制御部２００ａは送信時刻Ｔａ，Ｔｂから障害位置Ｑを算出する（ステップＳｔ４２）。このようにして、トランスポンダ２ｃはフレーム８ｂの受信処理を実行する。
【０１２２】
なお、上記の各実施例において、光伝送路９には２つの光ファイバ９ａ，９ｂを含まれるが、１本の光ファイバだけが含まれてもよい。この場合、共通の光ファイバに双方向のフレーム８ａ，８ｂが伝送される。このため、各トランスポンダ２ａ〜２ｄの光送信器２７０及び光受信器２７１と光ファイバの間には、各フレーム８ａ，８ｂを分離するため、例えばＷＤＭ（Wavelength Divisional Multiplexing）カプラが設けられる。これにより、トランスポンダ２ａ〜２ｄはフレーム８ａ，８ｂを送受信することができる。
【０１２３】
上述した実施形態は本発明の好適な実施の例である。但し、これに限定されるものではなく、本発明の要旨を逸脱しない範囲内において種々変形して実施可能である。
【０１２４】
なお、以上の説明に関して更に以下の付記を開示する。
（付記１）  送信時刻が付与されたフレームを、光伝送路を介して同一の伝送速度で互いに送受信する第１伝送装置及び第２伝送装置から、エラーが発生した前記フレームに付与された第１送信時刻及び第２送信時刻をそれぞれ取得する取得部と、
前記取得部が取得した前記第１送信時刻及び前記第２送信時刻の差分と光速の乗算値から、前記フレームのエラーが発生した前記光伝送路の位置を測定する測定部とを有することを特徴とする測定装置。
（付記２）  前記光速は、前記光伝送路内の光の伝搬速度であることを特徴とする付記１に記載の測定装置。
（付記３）  第１フレームに第１送信時刻を付与する付与部と、
前記第１フレームを、光伝送路を介して所定の伝送速度で他の伝送装置に送信する送信部と、
前記他の伝送装置から前記所定の伝送速度で送信され、第２送信時刻が付与された第２フレームを、前記光伝送路を介して受信する受信部と、
前記受信部が受信した前記第２フレームのうち、エラーが発生した前記第２フレームに付与された前記第２送信時刻を測定装置に通知する通知部とを有し、
前記測定装置は、前記他の伝送装置が受信した前記第１フレームのうち、エラーが発生した前記第１フレームに付与された前記第１送信時刻と、前記通知部から通知された前記第２送信時刻との差分、及び光速の乗算値から、前記第１フレーム及び前記第２フレームのエラーが発生した前記光伝送路の位置を測定することを特徴とする伝送装置。
（付記４）  前記付与部は、前記第１フレームのオーバヘッドに前記第１送信時刻を付与し、
前記他の伝送装置は、前記第２フレームのオーバヘッドに前記第２送信時刻を付与することを特徴とする付記３に記載の伝送装置。
（付記５）  第１フレームに第１送信時刻を付与する付与部と、
前記第１フレームを、光伝送路を介して所定の伝送速度で他の伝送装置に送信する送信部と、
前記他の伝送装置から前記所定の伝送速度で送信され、第２送信時刻が付与された第２フレームを、前記光伝送路を介して受信する受信部と、
前記他の伝送装置が受信した前記第１フレームのうち、エラーが発生した前記第１フレームに付与された前記第１送信時刻を取得する時刻取得部と、
前記受信部が受信した前記第２フレームのうち、エラーが発生した前記第２フレームに付与された前記第２送信時刻と、前記時刻取得部が取得した前記第１送信時刻との差分、及び光速の乗算値から、前記第１フレーム及び前記第２フレームのエラーが発生した前記光伝送路の位置を測定する位置測定部とを有することを特徴とする伝送装置。
（付記６）  前記付与部は、前記第１フレームのオーバヘッドに前記第１送信時刻を付与することを特徴とする付記５に記載の伝送装置。
（付記７）  測定装置、第１伝送装置、及び第２伝送装置を有し、
前記第１伝送装置は、
第１フレームに第１送信時刻を付与する第１付与部と、
前記第１フレームを、光伝送路を介して所定の伝送速度で前記第２伝送装置に送信する第１送信部と、
前記第２伝送装置から前記光伝送路を介して第２フレームを受信する第１受信部とを有し、
前記第２伝送装置は、
前記第２フレームに第２送信時刻を付与する第２付与部と、
前記第２フレームを、前記光伝送路を介して前記所定の伝送速度で前記第１伝送装置に送信する第２送信部と、
前記第１伝送装置から前記光伝送路を介して前記第１フレームを受信する第２受信部とを有し、
前記測定装置は、
エラーが発生した前記第２フレームに付与された前記第２送信時刻を前記第１伝送装置から取得し、エラーが発生した前記第１フレームに付与された前記第１送信時刻を前記第２伝送装置から取得する取得部と、
前記第１送信時刻及び前記第２送信時刻の差分と光速の乗算値から、前記第１フレーム及び前記第２フレームのエラーが発生した前記光伝送路の位置を測定する測定部とを有することを特徴とするネットワークシステム。
（付記８）  前記光速は、前記光伝送路内の光の伝搬速度であることを特徴とする付記７に記載のネットワークシステム。
（付記９）  前記第１付与部は、前記第１フレームのオーバヘッドに前記第１送信時刻を付与し、
前記第２付与部は、前記第２フレームのオーバヘッドに前記第２送信時刻を付与することを特徴とする付記７または８に記載のネットワークシステム。
（付記１０）  第１伝送装置及び第２伝送装置を有し、
前記第１伝送装置は、
第１フレームに第１送信時刻を付与する第１付与部と、
前記第１フレームを、光伝送路を介して所定の伝送速度で前記第２伝送装置に送信する第１送信部と、
前記第２伝送装置から前記光伝送路を介して第２フレームを受信する第１受信部と、
前記第１フレーム及び前記第２フレームのエラーが発生した前記光伝送路の位置を測定する位置測定部とを有し、
前記第２伝送装置は、
前記第２フレームに第２送信時刻を付与する第２付与部と、
前記第２フレームを、前記光伝送路を介して前記所定の伝送速度で前記第１伝送装置に送信する第２送信部と、
前記第１伝送装置から前記光伝送路を介して前記第１フレームを受信する第２受信部と、
前記第２受信部が受信した前記第１フレームのうち、エラーが発生した前記第１フレームに付与された前記第１送信時刻を前記第１伝送装置に通知する時刻通知部とを有し、
前記位置測定部は、前記第１受信部が受信した前記第２フレームのうち、エラーが発生した前記第２フレームに付与された前記第２送信時刻と、前記時刻通知部から通知された前記第１送信時刻との差分、及び光速の乗算値から、前記第１フレーム及び前記第２フレームのエラーが発生した前記光伝送路の位置を測定することを特徴とするネットワークシステム。
（付記１１）  前記光速は、前記光伝送路内の光の伝搬速度であることを特徴とする付記１０に記載のネットワークシステム。
（付記１２）  前記第１付与部は、前記第１フレームのオーバヘッドに前記第１送信時刻を付与し、
前記第２付与部は、前記第２フレームのオーバヘッドに前記第２送信時刻を付与することを特徴とする付記１０または１１に記載のネットワークシステム。
【符号の説明】
【０１２５】
１      監視制御装置
２ａ〜２ｄ     トランスポンダ
８ａ，８ｂ     フレーム
１００     監視制御部
１０１     測定部
２００，２００ａ，２００ｂ   装置制御部
２０１     監視制御インターフェース部
２３２     タイムスタンプ付与部
２３３     タイムスタンプ検出部
２３５     制御フレーム生成部
２３６     時刻取得部
２７０     光送信器
２７１     光受信器
【図１】
2020174319.tif 000003
【図２】
2020174319.tif 000004
【図３】
2020174319.tif 000005
【図４】
2020174319.tif 000006
【図５】
2020174319.tif 000007
【図６】
2020174319.tif 000008
【図７】
2020174319.tif 000009
【図８】
2020174319.tif 000010
【図９】
2020174319.tif 000011
【図１０】
2020174319.tif 000012
【図１１】
2020174319.tif 000013
【図１２】
2020174319.tif 000014
【図１３】
2020174319.tif 000015
【図１４】
2020174319.tif 000016
【図１５】
2020174319.tif 000017